(57)【要約】【課題】送風時の圧力損失を増加させず、横フィンの回動に応じて良好な風の指向性を確保することができるレジスタを提供する。【解決手段】前可動ルーバ３は１枚の中央横フィン７を空気吹出口１８内側の略上下中央に水平横方向に向け回動可能に軸支する一方、空気吹出口１８内側の上壁面６ａに近接して上補助横フィン８を水平横方向に向けて回動可能に軸支し、空気吹出口１８内側の下壁面６ｂに近接して下補助横フィン９を水平横方向に向けて回動可能に軸支して構成される。中央横フィン７、上補助横フィン８及び下補助横フィン９の回動軸に補助横フィン回動機構１０が連結される。補助横フィン回動機構１０は、中央横フィン７を上または下に振ったとき、上補助横フィン８及び下補助横フィン９がその下流側縁部を流路の内側に向けて迫り出すように、上補助横フィン８及び下補助横フィン９を回動させる。【選択図】図４
2010105507.tif 000002
【特許請求の範囲】
【請求項１】
水平横方向に長く上下縦方向に短い細長の空気吹出口を有し、該空気吹出口の内側前部に該水平横方向に沿って前可動ルーバが配設されたレジスタにおいて、該前可動ルーバは１枚の中央横フィンを該空気吹出口内側の略上下中央に該水平横方向に向け回動可能に軸支する一方、該空気吹出口内側の上壁面に近接して上補助横フィンを該水平横方向に向けて回動可能に軸支し、該空気吹出口内側の下壁面に近接して下補助横フィンを該水平横方向に向けて回動可能に軸支して構成され、該中央横フィン、上補助横フィン及び下補助横フィンの回動軸に補助横フィン回動機構が連結され、補助横フィン回動機構は、該中央横フィンを上または下に振ったとき、該上補助横フィン及び下補助横フィンがその下流側縁部を流路の内側に向けて迫り出すように該上補助横フィン及び下補助横フィンを回動させることを特徴とするレジスタ。
【請求項２】
前記中央横フィンが水平状態で、且つ前記上補助横フィンと下補助横フィンが水平状態にあるとき、該上補助横フィンと下補助横フィンが該流路の上壁面と下壁面に設けた収納凹部内に各々収納されることを特徴とする請求項１記載のレジスタ。
【請求項３】
前記中央横フィンの下流側縁部の位置が前記上補助横フィン及び下補助横フィンの下流側縁部の位置より下流側に位置し、該中央横フィンの回動軸がその下流側縁部の近傍に位置し、該上補助横フィン及び下補助横フィンの回動軸が該上補助横フィン及び下補助横フィンの上流側縁部の近傍に位置することを特徴とする請求項１または２記載のレジスタ。
【請求項４】
前記上補助横フィンと下補助横フィンの前後幅が前記中央横フィンの前後幅より短く形成され、該上補助横フィンと下補助横フィンの回動軸の位置が該中央横フィンの回動軸の位置より上流側に位置することを特徴とする請求項１、２または３の何れかに記載のレジスタ。
【請求項５】
前記補助横フィン回動機構が、前記中央横フィンの回動軸に軸着され偏心したクランク軸を有するクランクと、該クランク軸にカム溝を係合させ前記上補助横フィンの回動軸に軸着された第１カム部材と、該クランク軸にカム溝を係合させ前記下補助横フィンの回動軸に軸着された第２カム部材とを備えて構成され、該中央横フィンの上下回動に応じて、該上補助横フィン及び下補助横フィンの各下流側縁部を流路の内側に向けて迫り出すように回動させることを特徴とする請求項１記載のレジスタ。
【発明の詳細な説明】
【技術分野】
【０００１】
本発明は、自動車等の空調の空気吹出口に使用される空気吹出調整用のレジスタに関し、特に水平横方向に長く上下縦方向に短い細長の空気吹出口を有し、空気吹出口の内側に長手方向に沿って横フィンを有する前可動ルーバを設けたレジスタに関する。
【背景技術】
【０００２】
空気吹出調整用のレジスタとして、通風路を形成するベゼルまたはリテーナ内に、横可動ルーバと縦可動ルーバを前後して配設し、ベゼルに設けた空気吹出口から空気を吹き出す際、横可動ルーバ、縦可動ルーバの各フィンの角度を変えて空気の吹出し方向を調整するレジスタが、一般に、自動車の空調などで使用されている。
【０００３】
また、この種のレジスタとして、長手方向に長く短手方向に短い細長の空気吹出口を有し、空気吹出口の内側に１〜３枚程度の少数の可動フィンを設けたレジスタが、主として意匠性やデザイン的なデマンドから製作される場合がある。このようなレジスタは、例えば下記特許文献１などで知られている。
【特許文献１】特開２００２−１０３９５４号公報
【発明の開示】
【発明が解決しようとする課題】
【０００４】
この従来のレジスタは、その空気吹出口が左右横方向に長く上下方向に短い横長の形状であり、前可動ルーバには３枚の横ルーバが空気吹出口の内側に水平横方向に、回動可能に軸支され、その奥の後部には、後可動ルーバの縦ルーバが上下の軸を介して回動可能に軸支されている。
【０００５】
この種のレジスタは、デザイン性などを考慮してその空気吹出口が横長に形成され、前可動ルーバには３枚と少ない枚数の横フィンが配設され、上下に前可動ルーバの向きを調整した場合、３枚の横フィンが共に同じ方向に回動し、風向を変えるように動作する。
【０００６】
しかし、上記のレジスタは、横長で上下に短い薄形の空気吹出口に３枚の横フィンを有した前可動ルーバが配置されるため、前可動ルーバに単一の横フィンのみを設けた場合に比べ、３枚の横フィンの空気抵抗により、送風時の圧力損失が増大し易い。
【０００７】
また、送風時の空気流を示す図８のように、前可動ルーバ３０を例えば上に調整して３枚の横フィン３１，３２，３３を上に振ったとき、最上位の横フィン３１と上壁面との隙間及び最下位の横フィン３３と下壁面との隙間を通過する空気流の影響で、乱流が生じ、風の向きが上下に広がり易い。このため、充分な流速を持った風を横フィン３１〜３３の方向に送風する性能、つまり前可動ルーバ３０を上下に調整した際の風の指向性が低下し易い。
【０００８】
一方、薄形の空気吹出口の内側に、単一の横フィンを持つ前可動ルーバを、上下方向に調整可能に配置したレジスタが試作されているが、この種のレジスタにおいて、横フィンを上又は下側に振って風向を上又は下側に変えたとき、特に、横フィンと上壁面または下壁面との隙間を多くの空気流が真直ぐに通過し、この空気流によって風の指向性や流速が悪影響を受け易いという課題があった。
【０００９】
本発明は、上記の点に鑑みてなされたもので、薄形の空気吹出口を有し且つ少数の横フィンを有したレジスタにおいて、送風時の圧力損失を増加させず、横フィンの回動に応じて良好な風の指向性を確保することができるレジスタを提供することを目的とする。
【課題を解決するための手段】
【００１０】
上記目的を達成するために、本発明の請求項１のレジスタは、水平横方向に長く上下縦方向に短い細長の空気吹出口を有し、該空気吹出口の内側前部に該水平横方向に沿って前可動ルーバが配設されたレジスタにおいて、該前可動ルーバは１枚の中央横フィンを該空気吹出口内側の略上下中央に該水平横方向に向け回動可能に軸支する一方、該空気吹出口内側の上壁面に近接して上補助横フィンを該水平横方向に向けて回動可能に軸支し、該空気吹出口内側の下壁面に近接して下補助横フィンを該水平横方向に向けて回動可能に軸支して構成され、該中央横フィン、上補助横フィン及び下補助横フィンの回動軸に補助横フィン回動機構が連結され、補助横フィン回動機構は、該中央横フィンを上または下に振ったとき、該上補助横フィン及び下補助横フィンがその下流側縁部を流路の内側に向けて迫り出すように該上補助横フィン及び下補助横フィンを回動させることを特徴とする。
【００１１】
なお、ここで、上流側、下流側とは流路を流れる空気流の上流側または下流側を意味し、各部材において、前部は下流側の部位、後部は上流側の部位を意味する。
【００１２】
この発明によれば、中央横フィンを上又は下方向に振ったとき、補助横フィン回動機構の動作により、上補助横フィンがその下流側縁部を流路の内側に向けて迫り出すように、つまり斜め下方下流側に向けて回動し、下補助横フィンがその下流側縁部を流路の内側に向けて迫り出すように、つまり斜め上方下流側に向けて回動する。これにより、流路の上壁面付近と下壁面付近を流れる空気流は、上補助横フィンと下補助横フィンによって中央横フィンの周囲に集まるように絞られ、中央横フィンの上面または下面に沿うように流れる。
【００１３】
このため、空気吹出口から吹出す空気流は中央横フィンの向く方向に沿った流れとなり、中央横フィンの上下の調整時における風の指向性を向上させることができる。また、上補助横フィンと下補助横フィンは、前可動ルーバの水平調整時、上壁面に近接しまたは下壁面に近接して位置するため、中央横フィンの水平時における送風時の圧力損失を最小とすることができる。
【００１４】
請求項２の発明は、上記請求項１のレジスタにおいて、上記中央横フィンが水平状態で、且つ上補助横フィンと下補助横フィンが水平状態にあるとき、該上補助横フィンと下補助横フィンが該流路の上壁面と下壁面に設けた収納凹部内に収納されることを特徴とする。
【００１５】
この発明によれば、中央横フィンが水平状態で、且つ上補助横フィンと下補助横フィンが水平状態にあるとき、上補助横フィンと下補助横フィンが流路の上壁面と下壁面に設けた収納凹部内に収納されるので、空気吹出口の真直ぐ前方に風を吹き出す際、さらに送風時の圧力損失を最小にすることができ、しかも、レジスタの正面から上補助横フィンまたは下補助横フィンが見えにくくなるので、レジスタの意匠性を向上させることができる。
【００１６】
請求項３の発明は、上記請求項１または２のレジスタにおいて、中央横フィンの下流側縁部の位置が上補助横フィン及び下補助横フィンの下流側縁部の位置より下流側に位置し、中央横フィンの回動軸がその下流側縁部の近傍に位置し、上補助横フィン及び下補助横フィンの回動軸が該上補助横フィン及び下補助横フィンの上流側縁部の近傍に位置することを特徴とする。
【００１７】
この発明によれば、空気吹出口から吹出す空気流が、より一層、中央横フィンの向く方向に沿った流れとなり、中央横フィンの上下の調整時における風の指向性を一層向上させることができる。
【００１８】
請求項４の発明は、上記請求項１，２または３のレジスタにおいて、上記上補助横フィンと下補助横フィンの前後幅が上記中央横フィンの前後幅より短く形成され、該上補助横フィンと下補助横フィンの回動軸の位置が該中央横フィンの回動軸の位置より上流側の位置することを特徴とする。
【００１９】
この発明によれば、空気吹出口から吹出す空気流が、さらにより一層、中央横フィンの向く方向に沿った流れとなり、中央横フィンの上下の調整時における風の指向性を一層向上させることができる。また、短い前後幅の上補助横フィンと下補助横フィンにより、フィンを上または下に振ったときの圧力損失や風速の低下を少なくすることができる。
【００２０】
請求項５の発明は、上記請求項１のレジスタにおいて、上記補助横フィン回動機構が、中央横フィンの回動軸に軸着され偏心したクランク軸を有するクランクと、クランク軸にカム溝を係合させ上補助横フィンの回動軸に軸着された第１カム部材と、クランク軸にカム溝を係合させ下補助横フィンの回動軸に軸着された第２カム部材とを備えて構成され、中央横フィンの上下回動に応じて、上補助横フィン及び下補助横フィンの各下流側縁部を流路の内側に向けて迫り出すように回動させることを特徴とする。
【００２１】
この発明によれば、比較的簡単な構造の補助横フィン回動機構を用いて、中央横フィンの上下回動に従動して、上補助横フィン及び下補助横フィンを回動させ、中央横フィンを上または下に振ったとき、上補助横フィン及び下補助横フィンの下流側縁部を流路の内側に向けて迫り出すように回動させ、上補助横フィン及び下補助横フィンの向きを変えることができる。
【発明の効果】
【００２２】
本発明のレジスタによれば、薄形の空気吹出口内に少数の横フィンを設けたレジスタであっても、送風時の圧力損失を抑制しつつ、中央横フィンの回動に応じて、良好な指向性をもった送風を行なうことができ、さらに、上補助横フィンまたは下補助横フィンはレジスタの正面から見えにくく、レジスタの意匠性を向上させることができる。
【発明を実施するための最良の形態】
【００２３】
以下、本発明の実施の形態を図面に基づいて説明する。図１はレジスタの正面図を示し、図２はその左側面図を示し、図３はその水平横断面図を示している。また、図４はその縦断面図を示し、図５は補助横フィン回動機構１０の分解斜視図を示し、図６は補助横フィン回動機構１０を動作させたときの左側面図を示し、図７はその断面図を示している。
【００２４】
これらの図において、１は正面に長方形横長の空気吹出口１８を開口形成したベゼルである。空気吹出口１８は、図１に示すように、偏平で細長い長方形に形成され、長手方向に長く短手方向に短い横長の長方形に形成されている。
【００２５】
ベゼル１の背面側にはリテーナ２に連結するための図示しない嵌合部が設けられ、その嵌合部にダクト状のリテーナ２が嵌合・接続される。ベゼル１の空気吹出口１８内側の左右側壁には、前可動ルーバ３用の軸受部１ａが形成され、軸受部に前可動ルーバ３の中央横フィン７の回動軸７ａ、上補助横フィン８の回動軸８ａ、及び下補助横フィン９の回動軸９ａが支持されている。
【００２６】
リテーナ２は、略方形のダクト状に形成され、内部に通風用の流路５が形成されている。リテーナ２の下流側縁部の上壁と下壁に軸受部２ａが所定間隔で形成され、それらの軸受部２ａに図４に示すように後可動ルーバ４の縦フィン４ａが軸支される。このリテーナ２の前部に、正面に略長方形の空気吹出口１８を開口形成したベゼル１が、その空気吹出口１８を流路５の開口部に合わせた状態で嵌着され、流路５はリテーナ２内からベゼル１の空気吹出口１８まで連通して形成される。
【００２７】
前可動ルーバ３は、上下に回動調整可能な１枚の中央横フィン７と、中央横フィン７の上方と下方位置に配設され、中央横フィン７の回動操作に応じて上下に回動する上補助横フィン８及び下補助横フィン９と、中央横フィン７の回動に連動して上補助横フィン８及び下補助横フィン９を回動させる補助横フィン回動機構１０と、を備えて構成される。中央横フィン７は、両端に回動軸７ａを突設し、図１、図５に示すように、一方の回動軸７ａは流路５の側壁を貫通して外側に突出し、その回動軸７ａの先端にクランク１１が軸着される。
【００２８】
図４に示すように、中央横フィン７が水平状態のとき、つまり風向を真直ぐ前方に吹出すように水平に調整したとき、中央横フィン７の回動軸７ａはフィン本体の中央より下流側の下流側縁部に位置する。これにより、中央横フィン７を上方にまたは下方に振った（回動した）とき、中央横フィン７の上流側縁部が大きく上方にまたは下方に向く構造となっている。
【００２９】
図４に示すように、上補助横フィン８は流路５内の上壁面６ａに近接して配置される一方、その上壁面６ａには収納凹部６ｃが形成され、その収納凹部６ｃ内に上補助横フィン８が水平状態で収納されるようになっている。また、下補助横フィン９は流路５内の下壁面６ｂに近接して配置される一方、その下壁面６ｂには収納凹部６ｄが形成され、その収納凹部６ｄ内に下補助横フィン９が水平状態で収納されるようになっている。上補助横フィン８と下補助横フィン９はその前後方向の幅が、中央横フィン７の前後方向の幅の約１／２と短く形成される。
【００３０】
つまり、中央横フィン７の前後幅は上補助横フィン８、下補助横フィン９の前後幅の約２倍と長く幅広に形成され、さらに、中央横フィン７は、その平面視で、その上流側半部が上補助横フィン８と下補助横フィン９に重なり合う形態で配置され、上補助横フィン８と下補助横フィン９は中央横フィン７の上方または下方位置で、水平状態からその下流側縁部を流路５側に迫り出すように、回動可能に軸支される。
【００３１】
図４、図５に示すように、上補助横フィン８の回動軸８ａは上補助横フィン８の上流側縁部近傍の両側に突設され、下補助横フィン９の回動軸９ａは下補助横フィン９の上流側縁部近傍の両側に突設され、それらの位置は上記中央横フィン７の上流側縁部と略同じ平面位置となっている。つまり、上補助横フィン８と下補助横フィン９の回動軸８ａ，９ａの位置は、中央横フィン７の回動軸７ａとは前後で逆の位置関係となっている。
【００３２】
これにより、図７に示すように、中央横フィン７を上方に振り（回動し）、上補助横フィン８を下方に振った（回動させた）とき、中央横フィン７と上補助横フィン８は略平行となり、中央横フィン７を下方に振り、下補助横フィン９を上方に振ったとき、中央横フィン７と下補助横フィン９は略平行となるように動作する。
【００３３】
上記の如く中央横フィン７を上方にまたは下方に振ったとき、上補助横フィン８と下補助横フィン９に対し、上記のような動きをさせるために、ベゼル１の左側面外側に補助横フィン回動機構１０が設けられる。補助横フィン回動機構１０は、上述の中央横フィン７の回動軸７ａに軸着されたクランク１１と、上補助横フィン８の回動軸８ａに軸着された第１カム部材１３と、下補助横フィン９の回動軸９ａに軸着された第２カム部材１４とから構成される。
【００３４】
第１カム部材１３内には略くの字状に曲折した長孔状のカム溝１３ａが形成され、第２カム部材１４内には同様のカム溝１４ａが形成される。これらのカム溝１３ａ，１４ａは貫通孔として形成されている。また、第１カム部材１３と第２カム部材１４は、図２に示すように、相互に上下対称形に形成される一方、上部と下部に配置された上補助横フィン８と下補助横フィン９の回動軸８ａ，９ａに、その上部または下部を取着された使用形態では、水平線を対称線とする対称形に配置され使用される。さらに、図５に示すように、中央横フィン７の回動軸７ａに軸着されたクランク１１の先端部には、クランク軸１２が突設されるが、このクランク軸１２は、第１カム部材１３のカム溝１３ａと第２カム部材１４のカム溝１４ａの両方に挿入されて組み付けられる。
【００３５】
このように構成された補助横フィン回動機構１０に連係される上補助横フィン８と下補助横フィン９は、中央横フィン７の上下方向の向きを、図４のように真直ぐ正面を向けて水平方向としたとき、クランク１１、第１カム部材１３、第２カム部材１４の作用により、水平姿勢となって収納凹部６ｃ、６ｄに収納される。一方、中央横フィン７を図７（ａ）のように下側に回動させたとき、つまり中央横フィン７の向きを下方に振ったとき、上補助横フィン８の向きが同様に下側に回動し、下補助横フィン９の向きが上側に回動する。つまり、中央横フィン７の向きを上方、下方の何れに振ったときでも、上補助横フィン８と下補助横フィン９は、その下流側縁部を流路５内に迫り出すように回動する。
【００３６】
前可動ルーバ３の後方（奥）の流路５内に後可動ルーバ４が配設される。後可動ルーバ４には、複数の縦フィン４ａが左右に一定の間隔をおいて縦に並設される。各縦フィン４ａは上部と下部に回動軸が突設され、上下の回動軸は流路５の上壁と下壁に設けた軸受部に軸支され、左右に回動可能に支持されている。
【００３７】
上記中央横フィン７には、図１に示すように、操作ノブ１９が左右長手方向に摺動可能に外嵌され、操作ノブ１９を把持して中央横フィン７を上下方向に回動操作可能とし、且つ操作ノブ１９を左右方向に摺動させることにより、後可動ルーバ４を左右に調整する構造となっている。
【００３８】
このために、操作ノブ１９の後部には、図示は省略されているが、後可動ルーバ４の１枚の縦フィン４ａに係合する係合部が設けられ、その縦フィン４ａを含む全ての縦フィン４ａの回動軸４ｂには、図示しないクランクが軸着され、各クランクのクランク軸が１本のリンクバーにより相互に連結される。これにより、操作ノブ１９を中央横フィン７上で左右に摺動させたとき、後可動ルーバ４の各縦フィン４ａが連動して左右に回動し、風向を左右に調整する構造である。
【００３９】
上記構成のレジスタは、自動車の車内のインストルメントパネルやダッシュボードの部位に、そのリテーナ２の末端を図示しない通風ダクトに接続して装着される。空調装置の使用中に通風ダクトから送られる空気は、リテーナ２内の流路５から空気吹出口１８を通して吹き出される。
【００４０】
図２、図４に示すように、前可動ルーバ３の中央横フィン７が水平状態つまり真直ぐ前方を向く状態では、上補助横フィン８と下補助横フィン９は共に水平状態を保持し、上壁面６ａと下壁面６ｂの収納凹部６ｃ、６ｄ内に収納されている。したがって、流路５を流れる空気流は、上補助横フィン８と下補助横フィン９による空気抵抗を殆ど受けることなく、中央横フィン７の向く水平前方向に、非常に少ない圧力損失で送風される。これにより、従来の３枚の横フィンを空気吹出口に並設したレジスタに比べ、水平調整時の圧力損失を少なくすることができる。
【００４１】
一方、図２、図４に示すように、中央横フィン７が水平状態にあるとき、操作ノブ１９を操作して、図７（ａ）のように中央横フィン７を上向きに回動させると、補助横フィン回動機構１０の第１カム部材１３と第２カム部材１４において、図２のように、カム溝１３ａとカム溝１４ａの中央角部に位置するクランク軸１２が、図６（ａ）に示すようにそのカム溝１３ａとカム溝１４ａ内を斜め下方に移動する。このとき、クランク軸１２の移動と共に、第１カム部材１３が回動軸８ａを中心に図６（ａ）の時計方向に回動し、第２カム部材１４が回動軸９ａを中心に反時計方向に回動する。
【００４２】
これにより、図７（ａ）に示すように、上補助横フィン８と下補助横フィン９が、第１、第２カム部材１３，１４のカム溝１３ａ、１４ａとクランク軸１２の作用によって、各々その下流側縁部を流路５の内側に迫り出すように回動し、つまり、上補助横フィン８は斜め下方を向くように、下補助横フィン９は斜め上方を向くよう回動する。
【００４３】
これにより、流路５から空気吹出口１８に向かって流れる空気流は、上補助横フィン８と下補助横フィン９によって流路５の上下中央付近に、つまり中央横フィン７の近傍に集まり、中央横フィン７の近傍に集められた空気流は、中央横フィン７に沿って流れ、中央横フィン７の向く斜め上方に向けて送風される。
【００４４】
このとき、図７（ａ）のように、下補助横フィン９は平面視でその上面の半部以上を中央横フィン７に対し重ねるように位置し、中央横フィン７と下補助横フィン９は同じ方向に向くため、効果的に空気流を中央横フィン７の近傍に集めると共に、中央横フィン７に沿って風を流し、流路５の下壁面６ｂと下補助横フィン９の隙間を真直ぐ正面に流れる空気流は殆ど生じない。
【００４５】
また、上補助横フィン８は、下方に回動して、その下流側縁部を流路５の内側に迫り出すように動作し、流路５を流れる空気流を中央横フィン７の周囲近傍に集めるため、中央横フィン７に沿った空気流を生成し、流路５の上壁面６ａと上補助横フィン８の隙間を真直ぐ正面に流れる空気流は殆ど生じない。
【００４６】
このため、従来の３枚の横フィンを設けたレジスタのように、中央横フィン７に沿って流れる空気流は乱されることなく、スムーズに流れ、前可動ルーバ３の中央横フィン７を上に振ったときの指向性を大幅に向上させることができる。
【００４７】
他方、図２、図４に示すように、中央横フィン７が水平状態にあるとき、操作ノブ１９を操作して、図７（ｂ）のように中央横フィン７を下向きに回動させると、補助横フィン回動機構１０の第１カム部材１３と第２カム部材１４において、図２のようにカム溝１３ａとカム溝１４ａの中央角部に位置するクランク軸１２が図６（ｂ）のようにそのカム溝１３ａとカム溝１４ａ内を斜め上方に移動する。このとき、クランク軸１２の移動と共に、第１カム部材１３が回動軸８ａを中心に図６（ａ）の時計方向に回動し、第２カム部材１４が回動軸９ａを中心に反時計方向に回動する。
【００４８】
これにより、図７（ｂ）のように、上補助横フィン８と下補助横フィン９が、第１、第２カム部材８，９のカム溝１３ａ、１４ａとクランク軸１２の作用によって、上記と同様に、各々その下流側縁部を流路５の内側に迫り出すように回動し、上補助横フィン８は斜め下方を向くように、下補助横フィン９は斜め上方を向くよう回動する。
【００４９】
これにより、流路５から空気吹出口１８に向かって流れる空気流は、上補助横フィン８と下補助横フィン９によって流路５の上下中央位置近傍に、つまり中央横フィン７の近傍に集まり、中央横フィン７の近傍に集められた空気流は、中央横フィン７に沿って流れ、中央横フィン７の向く斜め下方に向けて送風される。
【００５０】
このとき、図７（ｂ）のように、上補助横フィン８は平面視でその上面の半部以上を中央横フィン７に対し重ねるように位置し、中央横フィン７と同じ方向に回動するため、空気流を中央横フィン７の近傍に集めると共に、流路５の上壁面６ａと上補助横フィン８の隙間、及び下壁面６ｂと下補助横フィン９の隙間を真直ぐ正面に流れる空気流は殆ど生じない。
【００５１】
また、下補助横フィン９は、上方に回動して、その下流側縁部を流路５の内側に迫り出すように動作し、流路５を流れる空気流を中央横フィン７の周囲近傍に集めるため、中央横フィン７に沿った空気流を生成し、流路５の下壁面６ｂと下補助横フィン９の隙間を真直ぐ正面に流れる空気流は殆ど生じない。
【００５２】
このため、上記と同様に、中央横フィン７を下方に振ったときも、従来の３枚の横フィンを設けたレジスタのように、中央横フィン７に沿って流れる空気流は乱されることなく、良好に流れ、前可動ルーバ３の中央横フィン７を下に振ったときの指向性を大幅に向上させることができる。
【００５３】
なお、上記実施形態では、中央横フィン７の回動に従動して、上補助横フィン８と下補助横フィン９を流路５の内側に迫り出すように傾動させる動きを、クランク１１、第１、第２カム部材１３，１４を用いた補助横フィン回動機構１０により実現したが、他のリンク機構またはカム機構を用いて上記上補助横フィン８と下補助横フィン９の動きを実現することもできる。
【００５４】
また、上記実施形態では、長方形の空気吹出口１８としたが、必ずしも長方形とはせずに、楕円形のような細長い異形形状の空気吹出口とすることもできる。
【００５５】
また、上補助横フィン８と下補助横フィン９を収納する収納凹部６ｃ、６ｄは、段差をつけた段差状凹部としたが、上補助横フィン８と下補助横フィン９を収納できる凹部であれば、凹状曲面を有した凹部などその形状は任意である。
【図面の簡単な説明】
【００５６】
【図１】本発明の一実施形態を示すレジスタの正面図である。
【図２】同レジスタの左側面図である。
【図３】図１のIII-III断面図である。
【図４】図１のIV-IV断面図である。
【図５】補助横フィン回動機構の分解斜視図である。
【図６】（ａ）は前可動ルーバの中央横フィンを上向きにしたときの左側面図、（ｂ）は前可動ルーバの中央横フィンを下向きにしたときの左側面図である。
【図７】（ａ）は前可動ルーバの中央横フィンを上向きにしたときの図４に対応した断面図、（ｂ）は前可動ルーバの中央横フィンを下向きにしたときの図４に対応した断面図である。
【図８】従来のレジスタの断面説明図である。
【符号の説明】
【００５７】
３      前可動ルーバ
５      流路
６ａ    上壁面
６ｂ    下壁面
６ｃ    収納凹部
６ｄ    収納凹部
７      中央横フィン
７ａ    回動軸
８      上補助横フィン
８ａ    回動軸
９      下補助横フィン
９ａ    回動軸
１０    補助横フィン回動機構
１１    クランク
１２    クランク軸
１３    第１カム部材
１３ａ  カム溝
１４    第２カム部材
１４ａ  カム溝
１８    空気吹出口
【図１】
2010105507.tif 000003
【図２】
2010105507.tif 000004
【図３】
2010105507.tif 000005
【図４】
2010105507.tif 000006
【図５】
2010105507.tif 000007
【図６】
2010105507.tif 000008
【図７】
2010105507.tif 000009
【図８】
2010105507.tif 000010